【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
端末デバイスが第１のチャネルに対応する１つ以上の復調参照信号ＤＭＲＳパターンを決定することと、
前記端末デバイスが前記１つ以上のＤＭＲＳパターンに基づいて、前記第１のチャネルを復調することとを含み、
前記第１のチャネルは、物理サイドリンク共有チャネルＰＳＳＣＨである
ことを特徴とするデータ伝送方法。
【請求項２】
前記端末デバイスが第１のチャネルに対応する１つ以上の復調参照信号ＤＭＲＳパターンを決定することは、
前記端末デバイスがネットワークデバイスにより送信された構成情報、前記第１のチャネルが使用するリソースプール、前記第１のチャネルが使用するキャリア及び前記第１のチャネルが使用する波形のうちの少なくとも１つに基づいて、前記第１のチャネルに対応する１つ以上のＤＭＲＳパターンを決定することを含む
ことを特徴とする請求項１に記載のデータ伝送方法。
【請求項３】
前記端末デバイスがネットワークデバイスにより送信された構成情報、前記第１のチャネルが使用するリソースプール、前記第１のチャネルが使用するキャリア及び前記第１のチャネルが使用する波形のうちの少なくとも１つに基づいて、前記第１のチャネルに対応する１つ以上のＤＭＲＳパターンを決定することは、
前記端末デバイスが前記第１のチャネルが使用するリソースプール及び第１の対応関係に基づいて、前記第１のチャネルに対応する１つ以上のＤＭＲＳパターンを決定することを含み、
前記第１の対応関係が、リソースプールとＤＭＲＳパターンとの対応関係、リソースプールと複数のＤＭＲＳパターンとの対応関係、複数のリソースプールとＤＭＲＳパターンとの対応関係、複数のリソースプールと複数のＤＭＲＳパターンとの対応関係のうちの少なくとも１つを含む
ことを特徴とする請求項２に記載のデータ伝送方法。
【請求項４】
前記第１のチャネルに対応する物理サイドリンク制御チャネルＰＳＣＣＨが第２のチャネルであり、前記端末デバイスが第１のチャネルに対応する１つ以上の復調参照信号ＤＭＲＳパターンを決定することは、
前記端末デバイスが前記第２のチャネルに基づいて、前記第１のチャネルに対応するＤＭＲＳパターンを決定することを含む
ことを特徴とする請求項１に記載のデータ伝送方法。
【請求項５】
前記端末デバイスが前記第２のチャネルに基づいて、前記第１のチャネルに対応するＤＭＲＳパターンを決定することは、
前記端末デバイスが複数のＤＭＲＳパターンから前記第１のチャネルに対応するＤＭＲＳパターンを決定することを含み、
複数のＤＭＲＳパターンが第１の対応関係に基づいて決定され、
前記第１の対応関係が、リソースプールとＤＭＲＳパターンとの対応関係、複数のリソースプールと複数のＤＭＲＳパターンとの対応関係、複数のリソースプールとＤＭＲＳパターンとの対応関係、リソースプールと複数のＤＭＲＳパターンとの対応関係のうちの少なくとも１つを含む
ことを特徴とする請求項４に記載のデータ伝送方法。
【請求項６】
前記端末デバイスが前記第２のチャネルに基づいて、前記第１のチャネルに対応するＤＭＲＳパターンを決定することは、
前記端末デバイスが、前記指示情報によって示す前記第２のＤＭＲＳパターンを前記第１のチャネルに対応するＤＭＲＳパターンとして決定することを含み、
前記第２のチャネルに指示情報が搬送され、前記指示情報が第２のＤＲＭＳパターンを示す
ことを特徴とする請求項４又は５に記載のデータ伝送方法。
【請求項７】
前記ＤＭＲＳパターンは、
１時間ユニット内でＤＲＭＳが占有する直交周波数分割多重ＯＦＤＭシンボルの数、
１つの時間ユニット内でＤＲＭＳが占有するＯＦＤＭシンボルの位置、
前記ＤＭＲＳが占有する１つのＯＦＤＭシンボル内で、１つの物理リソースブロックＰＲＢ内でＤＭＲＳが占有するリソース要素ＲＥの個数、
前記ＤＭＲＳが占有する１つのＯＦＤＭシンボル内で、１つのＰＲＢ内のＤＭＲＳシンボル間の周波数領域間隔、
前記ＤＭＲＳが占有する１つのＯＦＤＭシンボル内で、前記１つのＰＲＢ内の第１のサブキャリアに対する１つのＰＲＢ内のＤＭＲＳシンボルのオフセット、
前記ＤＭＲＳが占有する１つのＯＦＤＭシンボル内で、ＤＭＲＳの周波数位置、
前記ＤＭＲＳが存在するＯＦＤＭシンボルの内で、前記ＤＭＲＳによって占有されていないＲＥ上で前記ＤＭＲＳ以外の他の信号の伝送に使用可能かどうかのうちの少なくとも１つを含む
ことを特徴とする請求項６に記載のデータ伝送方法。
【請求項８】
決定モジュールと、復調モジュールとを備える端末デバイスであって、
前記決定モジュールは、第１のチャネルに対応する１つ以上の復調参照信号ＤＭＲＳパターンを決定するように構成され、
前記復調モジュールは、前記１つ以上のＤＭＲＳパターンに基づいて、前記第１のチャネルを復調するように構成され、
前記第１のチャネルは、物理サイドリンク共有チャネルＰＳＳＣＨである
ことを特徴とする端末デバイス。
【請求項９】
前記決定モジュールは、
ネットワークデバイスにより送信された構成情報、前記第１のチャネルが使用するリソースプール、前記第１のチャネルが使用するキャリア及び前記第１のチャネルが使用する波形のうちの少なくとも１つに基づいて、前記第１のチャネルに対応する１つ以上のＤＭＲＳパターンを決定するように構成される
ことを特徴とする請求項８に記載の端末デバイス。
【請求項１０】
前記決定モジュールは、
前記第１のチャネルが使用するリソースプール及び第１の対応関係に基づいて、前記第１のチャネルに対応する１つ以上のＤＭＲＳパターンを決定するように構成され、
前記第１の対応関係が、リソースプールとＤＭＲＳパターンとの対応関係、リソースプールと複数のＤＭＲＳパターンとの対応関係、複数のリソースプールとＤＭＲＳパターンとの対応関係、複数のリソースプールと複数のＤＭＲＳパターンとの対応関係のうちの少なくとも１つを含む
ことを特徴とする請求項９に記載の端末デバイス。
【請求項１１】
前記第１のチャネルに対応する物理サイドリンク制御チャネルＰＳＣＣＨが第２のチャネルであり、前記決定モジュールは、
前記第２のチャネルに基づいて、前記第１のチャネルに対応するＤＭＲＳパターンを決定するように構成される
ことを特徴とする請求項８に記載の端末デバイス。
【請求項１２】
前記決定モジュールは、
複数のＤＭＲＳパターンから前記第１のチャネルに対応するＤＭＲＳパターンを決定するように構成され、
複数のＤＭＲＳパターンが第１の対応関係に基づいて決定され、
前記第１の対応関係が、リソースプールとＤＭＲＳパターンとの対応関係、複数のリソースプールと複数のＤＭＲＳパターンとの対応関係、複数のリソースプールとＤＭＲＳパターンとの対応関係、リソースプールと複数のＤＭＲＳパターンとの対応関係のうちの少なくとも１つを含む
ことを特徴とする請求項１１に記載の端末デバイス。
【請求項１３】
前記決定モジュールは、
前記指示情報によって示す前記第２のＤＭＲＳパターンを前記第１のチャネルに対応するＤＭＲＳパターンとして決定するように構成され、
前記第２のチャネルに指示情報が搬送され、前記指示情報が第２のＤＲＭＳパターンを示す
ことを特徴とする請求項１１又は１２に記載の端末デバイス。
【請求項１４】
前記ＤＭＲＳパターンは、
１時間ユニット内でＤＲＭＳが占有する直交周波数分割多重ＯＦＤＭシンボルの数、
１つの時間ユニット内でＤＲＭＳが占有するＯＦＤＭシンボルの位置、
前記ＤＭＲＳが占有する１つのＯＦＤＭシンボル内で、１つの物理リソースブロックＰＲＢ内でＤＭＲＳが占有するリソース要素ＲＥの個数、
前記ＤＭＲＳが占有する１つのＯＦＤＭシンボル内で、１つのＰＲＢ内のＤＭＲＳシンボル間の周波数領域間隔、
前記ＤＭＲＳが占有する１つのＯＦＤＭシンボル内で、前記１つのＰＲＢ内の第１のサブキャリアに対する１つのＰＲＢ内のＤＭＲＳシンボルのオフセット、
前記ＤＭＲＳが占有する１つのＯＦＤＭシンボル内で、ＤＭＲＳの周波数位置、
前記ＤＭＲＳが存在するＯＦＤＭシンボルの内で、前記ＤＭＲＳによって占有されていないＲＥ上で前記ＤＭＲＳ以外の他の信号の伝送に使用可能かどうかのうちの少なくとも１つを含む
ことを特徴とする請求項８〜１３のいずれか１項に記載の端末デバイス。
【請求項１５】
決定モジュールと、通信モジュールとを備えるネットワークデバイスであって、
前記決定モジュールは、端末デバイスが第１のチャネルに対応する１つ以上の復調参照信号ＤＭＲＳパターンを決定するための構成情報を決定するように構成され、
前記通信モジュールは、前記端末デバイスに前記構成情報を送信するように構成され、
前記第１のチャネルは、物理サイドリンク共有チャネルＰＳＳＣＨである
ことを特徴とするネットワークデバイス。